(57)【要約】  【課題】  ＤＴＳ音声のアナログ出力機能は備えていないが、デジタル出力機能は備えている光ディスク再生装置において、オーディオ番号１にＤＴＳ音声が記録されている光ディスクを再生した場合、自動的にＤＴＳ音声が選ばれると、音声出力が無音状態になるのを防止できるようにする。  【解決手段】  ＤＶＤ上におけるＤＴＳ音声のオーディオ番号が他の音声のオーディオ番号よりも大きいことが判定された場合、ＤＴＳ音声以外の音声にて再生が開始する。ＤＴＳ音声のオーディオ番号が他の音声のオーディオ番号よりも小さいことが判定された場合で、ＤＴＳデジタル出力設定がビットストリームであることが判定された場合は、オーディオ番号１のＤＴＳ音声にて再生が開始し、ＤＴＳデジタル出力設定がオフであることが判定された場合は、ＤＴＳ以外でオーディオ番号２以降の最も若いオーディオ番号の音声にて再生が開始する。【選択図】      図５
2006196095.tif 000002
【特許請求の範囲】
【請求項１】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られた各種の音声の圧縮デー
タを再生するための各種の音声デコーダを有し、前記光ピックアップにより読み取られた
音声の圧縮データに含まれる音声識別情報と、前記テーブルに格納された音声識別情報と
を比較して、前記光ピックアップにより読み取られた音声の圧縮データの種類を判別し、
判別した圧縮データの種類に応じて前記各種の音声デコーダのうちの該当の音声デコーダ
を選択する機能を有し、ＤＴＳ音声のアナログ出力機能は備えていないが、デジタル出力
機能は備えている光ディスク再生装置において、光ディスク上におけるＤＴＳ音声のオー
ディオ番号が他の音声のオーディオ番号よりも大きいか小さいかを判定するオーディオ番
号大小判定手段と、ＤＴＳ音声のオーディオ番号が他の音声のオーディオ番号よりも大き
いことが前記オーディオ番号大小判定手段により判定された場合にＤＴＳ音声以外の音声
にて再生を開始させる第１の再生開始手段と、ＤＴＳ音声のオーディオ番号が他の音声の
オーディオ番号よりも小さいことが前記オーディオ番号大小判定手段により判定された場
合にセットアップのＤＴＳデジタル出力設定がデジタル出力であるかオフであるかを判定
する出力設定判定手段と、ＤＴＳデジタル出力設定がデジタル出力としてのビットストリ
ームであることが前記出力設定判定手段により判定された場合にオーディオ番号１のＤＴ
Ｓ音声にて再生を開始させる第２の再生開始手段と、ＤＴＳデジタル出力設定がオフであ
ることが前記出力設定判定手段により判定された場合にＤＴＳ以外でオーディオ番号２以
降の最も若いオーディオ番号の音声にて再生を開始させる第３の再生開始手段とを前記制
御部に設けたことを特徴とする光ディスク再生装置。
【請求項２】
ＤＴＳ音声のアナログ出力機能は備えていないが、デジタル出力機能は備えていて、光
ディスクに記録された情報を再生する光ディスク再生装置において、セットアップのＤＴ
Ｓデジタル設定がデジタル出力である場合で、ＤＴＳ音声がオーディオ番号１であれば、
ＤＴＳ音声を選択して再生を開始させ、セットアップのＤＴＳデジタル設定がオフである
場合には、ＤＴＳ音声以外の音声のうち一番若いオーディオ番号の音声を選択して再生を
開始させる制御部を備えたことを特徴とする光ディスク再生装置。
【請求項３】
光ディスクに記録された映像・音声を含む圧縮データを読み取る光ピックアップと、こ
の光ピックアップにより読み取られた圧縮データの種類を識別するための識別情報のテー
ブルを記憶する記憶手段と、前記光ピックアップにより読み取られた圧縮データを前記記
憶手段に記憶された識別情報に基づいてデータの種類毎に振り分けるデマルチプレクサと
、このデマルチプレクサにより振り分けられた映像の圧縮データに基づいて映像データを
再生する映像再生手段と、前記デマルチプレクサにより振り分けられた音声の圧縮データ
に基づいて音声データを再生する音声再生手段と、前記光ピックアップと前記記憶手段と
前記映像再生手段と前記音声再生手段とを制御する制御部とを備え、前記テーブルに格納
されている識別情報には、音声データの種類を識別するための音声識別情報が含まれてお
り、前記音声再生手段は、前記光ピックアップにより読み取られた各種の音声の圧縮デー
タを再生するための各種の音声デコーダを有し、前記光ピックアップにより読み取られた
音声の圧縮データに含まれる音声識別情報と、前記テーブルに格納された音声識別情報と
を比較して、前記光ピックアップにより読み取られた音声の圧縮データの種類を判別し、
判別した圧縮データの種類に応じて前記各種の音声デコーダのうちの該当の音声デコーダ
を選択する機能を有し、ＤＴＳ音声のアナログ出力機能は備えていないが、デジタル出力
機能は備えている光ディスク再生装置において、前記制御部は、セットアップのＤＴＳデ
ジタル設定がデジタル出力である場合には、ＤＴＳ音声がオーディオ番号１であれば、Ｄ
ＴＳ音声を選択して再生を開始させ、セットアップのＤＴＳデジタル設定がオフである場
合には、ＤＴＳ音声以外の音声のうち一番若いオーディオ番号の音声を選択して再生を開
始させることを特徴とする光ディスク再生装置。
【請求項４】
前記制御部は、光ディスク上におけるＤＴＳ音声のオーディオ番号が他の音声のオーデ
ィオ番号よりも大きいか小さいかを判定するオーディオ番号大小判定手段と、ＤＴＳ音声
のオーディオ番号が他の音声のオーディオ番号よりも大きいことが前記オーディオ番号大
小判定手段により判定された場合にＤＴＳ音声以外の音声にて再生を開始させる第１の再
生開始手段と、ＤＴＳ音声のオーディオ番号が他の音声のオーディオ番号よりも小さいこ
とが前記オーディオ番号大小判定手段により判定された場合にセットアップのＤＴＳデジ
タル出力設定がデジタル出力であるかオフであるかを判定する出力設定判定手段と、ＤＴ
Ｓデジタル出力設定がデジタル出力としてのビットストリームであることが前記出力設定
判定手段により判定された場合にオーディオ番号１のＤＴＳ音声にて再生を開始させる第
２の再生開始手段と、ＤＴＳデジタル出力設定がオフであることが前記出力設定判定手段
により判定された場合にＤＴＳ以外でオーディオ番号２以降の最も若いオーディオ番号の
音声にて再生を開始させる第３の再生開始手段とを有することを特徴とする請求項２また
は請求項３に記載の光ディスク再生装置。
【発明の詳細な説明】
【技術分野】
【０００１】
本発明は、ＤＶＤ（Digital Versatile Disc）などの光ディスクに記録された映像およ
び音声などの情報を読み取って、映像および音声を再生する光ディスク再生装置に係り、
特に、ＤＴＳ（Digital Theater System）音声のアナログ出力機能は備えていないが、デ
ジタル出力機能は備えている光ディスク再生装置に関する。
【背景技術】
【０００２】
従来より、ＤＶＤなどの光ディスクにおいて、ＬＰＣＭ（Linear Pulse Code Modulati
on）、ドルビーデジタル、ＭＰＥＧ（Moving Picture Coding Experts Group）オーディ
オ、ＤＴＳなどの各種の音声圧縮データを記録した、いわゆる多重オーディオストリーム
の光ディスクが知られている。この種の光ディスクにおいては、ＤＴＳ音声を最初のスト
リームに記録する光ディスクが増加する傾向にある。
【０００３】
そして、光ディスクに記録された音声などの情報を再生する光ディスク再生装置の中に
は、音声を再生するオーディオデコーダ内にＤＴＳ音声の再生用のデコーダであるＤＴＳ
デコーダを有していないためＤＴＳ音声のアナログ出力機能は備えていないが、デジタル
出力（ビットストリーム）機能は備えている光ディスク再生装置や、ＤＴＳデコーダに関
する特許のライセンス料を払っていないためにＤＴＳ音声を出力しないように構成された
光ディスク再生装置などがある。
【特許文献１】特開２００４−２２０６９３号公報
【特許文献２】特開２００２−１７０３３０号公報
【特許文献３】特開２００２−２５１８２７号公報
【特許文献４】特開２０００−２２２８２６号公報
【発明の開示】
【発明が解決しようとする課題】
【０００４】
ところで、ＤＴＳ音声のアナログ出力機能は備えていないが、デジタル出力機能は備え
ている光ディスク再生装置では、光ディスクに記録されている最初の音声（オーディオ番
号１の音声）がＤＴＳ音声である場合には、無条件にＤＴＳ音声を再生するようになって
いるが、ＤＴＳ音声のアナログ出力機能は備えていないので、音声を出力することができ
ず、無音になってしまい、したがって、ユーザにとっては、装置から音が出ないので、装
置に不具合が起きたように勘違いするという課題が生じる。
【０００５】
なお、特許文献１の従来技術は、ＤＴＳデコーダを有していない光ディスク再生装置に
おいて、光ディスクにＤＴＳ音声が記録されている場合に、再生時には強制的にＤＴＳ音
声を選択しないようにしているが、これを行うと初期設定（セットアップ）でＤＴＳ音声
を出力しようとした場合に、デジタル出力（ビットストリーム）機能でも音声を出力する
ことができなくなる。
【０００６】
特許文献２の従来技術では、再生開始時にミュート回路を作動させ、ビットパターン判
定器が所定時間内にビットストリームからＤＴＳ同期信号およびＤＴＳヘッダ信号を検出
した場合、信号処理の再生モードをＤＴＳモードにしてミュート回路のミュートを解除し
、所定時間内にビットストリームからＤＴＳ同期信号およびＤＴＳヘッダ信号を検出しな
かった場合は、信号処理の再生モードをＰＣＭモードにしてミュート回路のミュートを解
除するようにしているものである。
【０００７】
しかしながら、この従来技術は、ＤＴＳ音声のアナログ出力機能は備えていないが、デ
ジタル出力機能は備えている光ディスク再生装置において、光ディスクに記録されている
最初の音声（オーディオ番号１の音声）がＤＴＳ音声である場合に、無条件にＤＴＳ音声
を再生するようにしたものに対して、無音状態を防止するようにしたものではない。
【０００８】
特許文献３の従来技術は、ディスクに記憶されたデータストリームの再生開始前に、こ
れから出力されるべきデジタル音声のフォーマットに対応する無音のデジタル音声を予め
メモリに記憶しておき、この無音のデジタル音声を出力することで、敏速なデジタルスト
リームデコードを促すことを可能にしているものである。
【０００９】
しかし、この従来技術も、ＤＴＳ音声のアナログ出力機能は備えていないが、デジタル
出力機能は備えている光ディスク再生装置において、光ディスクに記録されている最初の
音声（オーディオ番号１の音声）がＤＴＳ音声である場合に、無条件にＤＴＳ音声を再生
するようにしたものに対して、無音状態を防止するようにしたものではない。
【００１０】
特許文献４の従来技術は、圧縮されたデジタル音声信号および圧縮されないデジタル音
声信号をアナログ音声信号に変換するＤ／Ａ変換装置に関し、詳しくは、圧縮されたデジ
タル音声信号および圧縮されないデジタル音声信号の双方の再生時において、無音となる
ときにはアナログ音声信号を増幅する信号増幅回路をミュート状態に設定するミュート装
置に関するものであり、ＤＴＳ音声のアナログ出力機能は備えていないが、デジタル出力
機能は備えている光ディスク再生装置に関するものではない。
【００１１】
本発明は、上記のような課題を解決するためになされたもので、ＤＴＳ音声のアナログ
出力機能は備えていないが、デジタル出力機能は備えている光ディスク再生装置において
、オーディオ番号１にＤＴＳ音声が記録されている光ディスクを再生した場合、自動的に
ＤＴＳ音声が選ばれると、音声出力が無音状態になるのを防止でき、また、ＤＴＳデジタ
ル出力設定がオフであっても、無音状態になるのを防止できる機能を有する光ディスク再
生装置を提供することを目的とする。
【課題を解決するための手段】
【００１２】
上記目的を達成するために請求項１の発明は、光ディスクに記録された映像・音声を含
む圧縮データを読み取る光ピックアップと、この光ピックアップにより読み取られた圧縮
データの種類を識別するための識別情報のテーブルを記憶する記憶手段と、前記光ピック
アップにより読み取られた圧縮データを前記記憶手段に記憶された識別情報に基づいてデ
ータの種類毎に振り分けるデマルチプレクサと、このデマルチプレクサにより振り分けら
れた映像の圧縮データに基づいて映像データを再生する映像再生手段と、前記デマルチプ
レクサにより振り分けられた音声の圧縮データに基づいて音声データを再生する音声再生
手段と、前記光ピックアップと前記記憶手段と前記映像再生手段と前記音声再生手段とを
制御する制御部とを備え、前記テーブルに格納されている識別情報には、音声データの種
類を識別するための音声識別情報が含まれており、前記音声再生手段は、前記光ピックア
ップにより読み取られた各種の音声の圧縮データを再生するための各種の音声デコーダを
有し、前記光ピックアップにより読み取られた音声の圧縮データに含まれる音声識別情報
と、前記テーブルに格納された音声識別情報とを比較して、前記光ピックアップにより読
み取られた音声の圧縮データの種類を判別し、判別した圧縮データの種類に応じて前記各
種の音声デコーダのうちの該当の音声デコーダを選択する機能を有し、ＤＴＳ音声のアナ
ログ出力機能は備えていないが、デジタル出力機能は備えている光ディスク再生装置にお
いて、光ディスク上におけるＤＴＳ音声のオーディオ番号が他の音声のオーディオ番号よ
りも大きいか小さいかを判定するオーディオ番号大小判定手段と、ＤＴＳ音声のオーディ
オ番号が他の音声のオーディオ番号よりも大きいことが前記オーディオ番号大小判定手段
により判定された場合にＤＴＳ音声以外の音声にて再生を開始させる第１の再生開始手段
と、ＤＴＳ音声のオーディオ番号が他の音声のオーディオ番号よりも小さいことが前記オ
ーディオ番号大小判定手段により判定された場合にセットアップのＤＴＳデジタル出力設
定がデジタル出力であるかオフであるかを判定する出力設定判定手段と、ＤＴＳデジタル
出力設定がデジタル出力としてのビットストリームであることが前記出力設定判定手段に
より判定された場合にオーディオ番号１のＤＴＳ音声にて再生を開始させる第２の再生開
始手段と、ＤＴＳデジタル出力設定がオフであることが前記出力設定判定手段により判定
された場合にＤＴＳ以外でオーディオ番号２以降の最も若いオーディオ番号の音声にて再
生を開始させる第３の再生開始手段とを前記制御部に設けたことを特徴とする光ディスク
再生装置を提供する。
【００１３】
この構成において、光ディスク上におけるＤＴＳ音声のオーディオ番号が他の音声のオ
ーディオ番号よりも大きいことがオーディオ番号大小判定手段により判定された場合、第
１の再生開始手段は、ＤＴＳ音声以外の音声にて再生を開始させる。ＤＴＳ音声のオーデ
ィオ番号が他の音声のオーディオ番号よりも小さいことが前記オーディオ番号大小判定手
段により判定された場合、出力設定判定手段は、セットアップのＤＴＳデジタル出力設定
がデジタル出力であるビットストリームであるかオフであるかを判定する。ＤＴＳデジタ
ル出力設定がデジタル出力としてのビットストリームであることが判定された場合、第２
の再生開始手段は、オーディオ番号１のＤＴＳ音声にて再生を開始させる。ＤＴＳデジタ
ル出力設定がオフであることが判定された場合、第３の再生開始手段は、ＤＴＳ以外でオ
ーディオ番号２以降の最も若いオーディオ番号の音声にて再生を開始させる。
【００１４】
この構成によれば、ＤＴＳ音声のアナログ出力機能は備えていないが、デジタル出力機
能は備えている光ディスク再生装置において、オーディオ番号１にＤＴＳ音声が記録され
ている光ディスクを再生した場合、自動的にＤＴＳ音声が選ばれると、音声出力が無音状
態になるのを防止でき、また、ＤＴＳデジタル出力設定がオフであっても、無音状態にな
るのを防止できる。即ち、オーディオ番号１の音声がＤＴＳ音声であっても、また、ＤＴ
Ｓデジタル出力設定がオフであっても、無音状態になるのを防止でき、装置からは音が出
るので、装置に不具合が起きたように勘違いすることはない。
【００１５】
請求項２の発明は、ＤＴＳ音声のアナログ出力機能は備えていないが、デジタル出力機
能は備えていて、光ディスクに記録された情報を再生する光ディスク再生装置において、
セットアップのＤＴＳデジタル設定がデジタル出力であるビットストリームである場合で
、ＤＴＳ音声がオーディオ番号１であれば、ＤＴＳ音声を選択して再生を開始させ、セッ
トアップのＤＴＳデジタル設定がオフである場合には、ＤＴＳ音声以外の音声のうち一番
若いオーディオ番号の音声を選択して再生を開始させる制御部を備えたことを特徴とする
光ディスク再生装置を提供する。
【００１６】
この構成において、セットアップのＤＴＳデジタル設定がデジタル出力であるビットス
トリームである場合で、ＤＴＳ音声がオーディオ番号１であれば、ＤＴＳ音声が選択され
て再生が開始され、セットアップのＤＴＳデジタル設定がオフである場合には、ＤＴＳ音
声以外の音声のうち一番若いオーディオ番号の音声が選択されて再生が開始される。
【００１７】
この構成によれば、ＤＴＳ音声のアナログ出力機能は備えていないが、デジタル出力機
能は備えている光ディスク再生装置において、オーディオ番号１にＤＴＳ音声が記録され
ている光ディスクを再生した場合、自動的にＤＴＳ音声が選ばれると、音声出力が無音状
態になるのを防止でき、また、ＤＴＳデジタル出力設定がオフであっても、無音状態にな
るのを防止できる。即ち、オーディオ番号１の音声がＤＴＳ音声であっても、ＤＴＳデジ
タル出力設定がオフであっても、無音状態になるのを防止でき、装置から音が出るので、
装置に不具合が起きたように勘違いすることはない。
【００１８】
請求項３の発明は、光ディスクに記録された映像・音声を含む圧縮データを読み取る光
ピックアップと、この光ピックアップにより読み取られた圧縮データの種類を識別するた
めの識別情報のテーブルを記憶する記憶手段と、前記光ピックアップにより読み取られた
圧縮データを前記記憶手段に記憶された識別情報に基づいてデータの種類毎に振り分ける
デマルチプレクサと、このデマルチプレクサにより振り分けられた映像の圧縮データに基
づいて映像データを再生する映像再生手段と、前記デマルチプレクサにより振り分けられ
た音声の圧縮データに基づいて音声データを再生する音声再生手段と、前記光ピックアッ
プと前記記憶手段と前記映像再生手段と前記音声再生手段とを制御する制御部とを備え、
前記テーブルに格納されている識別情報には、音声データの種類を識別するための音声識
別情報が含まれており、前記音声再生手段は、前記光ピックアップにより読み取られた各
種の音声の圧縮データを再生するための各種の音声デコーダを有し、前記光ピックアップ
により読み取られた音声の圧縮データに含まれる音声識別情報と、前記テーブルに格納さ
れた音声識別情報とを比較して、前記光ピックアップにより読み取られた音声の圧縮デー
タの種類を判別し、判別した圧縮データの種類に応じて前記各種の音声デコーダのうちの
該当の音声デコーダを選択する機能を有し、ＤＴＳ音声のアナログ出力機能は備えていな
いが、デジタル出力機能は備えている光ディスク再生装置において、前記制御部は、セッ
トアップのＤＴＳデジタル設定がデジタル出力である場合には、ＤＴＳ音声がオーディオ
番号１であれば、ＤＴＳ音声を選択して再生を開始させ、セットアップのＤＴＳデジタル
設定がオフである場合には、ＤＴＳ音声以外の音声のうち一番若いオーディオ番号の音声
を選択して再生を開始させることを特徴とする光ディスク再生装置を提供する。
【００１９】
この構成において、セットアップのＤＴＳデジタル設定がデジタル出力である場合で、
ＤＴＳ音声がオーディオ番号１であれば、ＤＴＳ音声が選択されて再生が開始され、セッ
トアップのＤＴＳデジタル設定がオフである場合には、ＤＴＳ音声以外の音声のうち一番
若いオーディオ番号の音声が選択されて再生が開始される。
【００２０】
この構成によれば、ＤＴＳ音声のアナログ出力機能は備えていないが、デジタル出力機
能は備えている光ディスク再生装置において、オーディオ番号１にＤＴＳ音声が記録され
ている光ディスクを再生した場合、自動的にＤＴＳ音声が選ばれると、音声出力が無音状
態になるのを防止でき、また、ＤＴＳデジタル出力設定がオフであっても、無音状態にな
るのを防止できる。即ち、最初の音声（オーディオ番号１の音声）がＤＴＳ音声であって
も、ＤＴＳデジタル出力設定がオフであっても、無音状態になるのを防止でき、装置から
音が出るので、装置に不具合が起きたように勘違いすることはない。
【００２１】
請求項４の発明では、請求項２または請求項３の発明において、前記制御部は、光ディ
スク上におけるＤＴＳ音声のオーディオ番号が他の音声のオーディオ番号よりも大きいか
小さいかを判定するオーディオ番号大小判定手段と、ＤＴＳ音声のオーディオ番号が他の
音声のオーディオ番号よりも大きいことが前記オーディオ番号大小判定手段により判定さ
れた場合にＤＴＳ音声以外の音声にて再生を開始させる第１の再生開始手段と、ＤＴＳ音
声のオーディオ番号が他の音声のオーディオ番号よりも小さいことが前記オーディオ番号
大小判定手段により判定された場合にセットアップのＤＴＳデジタル出力設定がデジタル
出力であるビットストリームであるかオフであるかを判定する出力設定判定手段と、ＤＴ
Ｓデジタル出力設定がデジタル出力としてのビットストリームであることが前記出力設定
判定手段により判定された場合にオーディオ番号１のＤＴＳ音声にて再生を開始させる第
２の再生開始手段と、ＤＴＳデジタル出力設定がオフであることが前記出力設定判定手段
により判定された場合にＤＴＳ以外でオーディオ番号２以降の最も若いオーディオ番号の
音声にて再生を開始させる第３の再生開始手段とを有する。
【００２２】
したがって、光ディスク上におけるＤＴＳ音声のオーディオ番号が他の音声のオーディ
オ番号よりも大きい場合は、ＤＴＳ音声以外の音声にて再生を開始させることができる。
ＤＴＳ音声のオーディオ番号が他の音声のオーディオ番号よりも小さい場合で、ＤＴＳデ
ジタル出力設定がデジタル出力としてのビットストリームである場合は、オーディオ番号
１のＤＴＳ音声にて再生を開始させることができ、ＤＴＳデジタル出力設定がオフである
場合は、ＤＴＳ以外でオーディオ番号２以降の最も若いオーディオ番号の音声にて再生を
開始させることができる。
【発明の効果】
【００２３】
以上のように本発明によれば、光ディスクに記録された映像・音声を含む圧縮データを
読み取る光ピックアップと、この光ピックアップにより読み取られた圧縮データの種類を
識別するための識別情報のテーブルを記憶する記憶手段と、前記光ピックアップにより読
み取られた圧縮データを前記記憶手段に記憶された識別情報に基づいてデータの種類毎に
振り分けるデマルチプレクサと、このデマルチプレクサにより振り分けられた映像の圧縮
データに基づいて映像データを再生する映像再生手段と、前記デマルチプレクサにより振
り分けられた音声の圧縮データに基づいて音声データを再生する音声再生手段と、前記光
ピックアップと前記記憶手段と前記映像再生手段と前記音声再生手段とを制御する制御部
とを備え、前記テーブルに格納されている識別情報には、音声データの種類を識別するた
めの音声識別情報が含まれており、前記音声再生手段は、前記光ピックアップにより読み
取られた各種の音声の圧縮データを再生するための各種の音声デコーダを有し、前記光ピ
ックアップにより読み取られた音声の圧縮データに含まれる音声識別情報と、前記テーブ
ルに格納された音声識別情報とを比較して、前記光ピックアップにより読み取られた音声
の圧縮データの種類を判別し、判別した圧縮データの種類に応じて前記各種の音声デコー
ダのうちの該当の音声デコーダを選択する機能を有し、ＤＴＳ音声のアナログ出力機能は
備えていないが、デジタル出力機能は備えている光ディスク再生装置において、光ディス
ク上におけるＤＴＳ音声のオーディオ番号が他の音声のオーディオ番号よりも大きいか小
さいかを判定するオーディオ番号大小判定手段と、ＤＴＳ音声のオーディオ番号が他の音
声のオーディオ番号よりも大きいことが前記オーディオ番号大小判定手段により判定され
た場合にＤＴＳ音声以外の音声にて再生を開始させる第１の再生開始手段と、ＤＴＳ音声
のオーディオ番号が他の音声のオーディオ番号よりも小さいことが前記オーディオ番号大
小判定手段により判定された場合にセットアップのＤＴＳデジタル出力設定がデジタル出
力であるビットストリームであるかオフであるかを判定する出力設定判定手段と、ＤＴＳ
デジタル出力設定がデジタル出力としてのビットストリームであることが前記出力設定判
定手段により判定された場合にオーディオ番号１のＤＴＳ音声にて再生を開始させる第２
の再生開始手段と、ＤＴＳデジタル出力設定がオフであることが前記出力設定判定手段に
より判定された場合にＤＴＳ以外でオーディオ番号２以降の最も若いオーディオ番号の音
声にて再生を開始させる第３の再生開始手段とを前記制御部に設けたので、オーディオ番
号１にＤＴＳ音声が記録されている光ディスクを再生した場合、自動的にＤＴＳ音声が選
ばれると、音声出力が無音状態になるのを防止でき、また、ＤＴＳデジタル出力設定がオ
フであっても、無音状態になるのを防止できる。即ち、オーディオ番号１の音声がＤＴＳ
音声であっても、また、ＤＴＳデジタル出力設定がオフであっても、無音状態になるのを
防止でき、装置からは音が出るので、装置に不具合が起きたように勘違いすることはない
。
【００２４】
また、本発明によれば、ＤＴＳ音声のアナログ出力機能は備えていないが、デジタル出
力機能は備えていて、光ディスクに記録された情報を再生する光ディスク再生装置におい
て、セットアップのＤＴＳデジタル設定がデジタル出力である場合で、ＤＴＳ音声がオー
ディオ番号１であれば、ＤＴＳ音声を選択して再生を開始させ、セットアップのＤＴＳデ
ジタル設定がオフである場合には、ＤＴＳ音声以外の音声のうち一番若いオーディオ番号
の音声を選択して再生を開始させる制御部を備えたので、オーディオ番号１にＤＴＳ音声
が記録されている光ディスクを再生した場合、自動的にＤＴＳ音声が選ばれると、音声出
力が無音状態になるのを防止でき、また、ＤＴＳデジタル出力設定がオフであっても、無
音状態になるのを防止できる。即ち、オーディオ番号１の音声がＤＴＳ音声であっても、
また、ＤＴＳデジタル出力設定がオフであっても、無音状態になるのを防止でき、装置か
らは音が出るので、装置に不具合が起きたように勘違いすることはない。
【００２５】
また、本発明によれば、光ディスクに記録された映像・音声を含む圧縮データを読み取
る光ピックアップと、この光ピックアップにより読み取られた圧縮データの種類を識別す
るための識別情報のテーブルを記憶する記憶手段と、前記光ピックアップにより読み取ら
れた圧縮データを前記記憶手段に記憶された識別情報に基づいてデータの種類毎に振り分
けるデマルチプレクサと、このデマルチプレクサにより振り分けられた映像の圧縮データ
に基づいて映像データを再生する映像再生手段と、前記デマルチプレクサにより振り分け
られた音声の圧縮データに基づいて音声データを再生する音声再生手段と、前記光ピック
アップと前記記憶手段と前記映像再生手段と前記音声再生手段とを制御する制御部とを備
え、前記テーブルに格納されている識別情報には、音声データの種類を識別するための音
声識別情報が含まれており、前記音声再生手段は、前記光ピックアップにより読み取られ
た各種の音声の圧縮データを再生するための各種の音声デコーダを有し、前記光ピックア
ップにより読み取られた音声の圧縮データに含まれる音声識別情報と、前記テーブルに格
納された音声識別情報とを比較して、前記光ピックアップにより読み取られた音声の圧縮
データの種類を判別し、判別した圧縮データの種類に応じて前記各種の音声デコーダのう
ちの該当の音声デコーダを選択する機能を有し、ＤＴＳ音声のアナログ出力機能は備えて
いないが、デジタル出力機能は備えている光ディスク再生装置において、前記制御部は、
セットアップのＤＴＳデジタル設定がデジタル出力である場合には、ＤＴＳ音声がオーデ
ィオ番号１であれば、ＤＴＳ音声を選択して再生を開始させ、セットアップのＤＴＳデジ
タル設定がオフである場合には、ＤＴＳ音声以外の音声のうち一番若いオーディオ番号の
音声を選択して再生を開始させるようにしたので、オーディオ番号１にＤＴＳ音声が記録
されている光ディスクを再生した場合、自動的にＤＴＳ音声が選ばれると、音声出力が無
音状態になるのを防止でき、また、ＤＴＳデジタル出力設定がオフであっても、無音状態
になるのを防止できる。即ち、オーディオ番号１の音声がＤＴＳ音声であっても、また、
ＤＴＳデジタル出力設定がオフであっても、無音状態になるのを防止でき、装置からは音
が出るので、装置に不具合が起きたように勘違いすることはない。
【発明を実施するための最良の形態】
【００２６】
以下、添付図面を参照しつつ、本発明の実施の形態について説明する。図１は本発明の
一実施形態に係る光ディスク再生装置の構成を示すブロック図である。この光ディスク再
生装置１は、光ディスクとしてのＤＶＤ２に記録されている映像、音声などの圧縮データ
を読み取って映像、音声などを再生し、再生した映像、音声などを出力する装置であり、
ＤＴＳ音声のアナログ出力機能は備えていないが、デジタル出力機能は備えているタイプ
の装置である。
【００２７】
この光ディスク再生装置１は、トレイに装着されたＤＶＤ２を回転駆動するスピンドル
モータ３、ＤＶＤ２に記録されている情報をＲＦ信号の形式で出力する光ピックアップ４
、この光ピックアップ４から出力されたＲＦ信号の２値化処理などを行うＲＦ回路５、お
よびＲＦ回路５による処理後のデータに対してデータ復調や誤り訂正などのデコーダ処理
を施すデータデコーダ６を備えている。また、この光ディスク再生装置１は、データデコ
ーダ６でデコード処理が施されたデータを主映像圧縮データ、副映像圧縮データ、および
各種の音声圧縮データに振り分けるデマルチプレクサ７、主映像圧縮データを復号するビ
デオデコーダ８、副映像圧縮データを復号して字幕データなどを再生するサブピクチャデ
コーダ９、各種の音声圧縮データを復号するオーディオデコーダ１０を備えている。
【００２８】
加算器１１は、ビデオデコーダ８からの主映像データとサブピクチャデコーダ９からの
字幕などの副映像データとを合成し、また、Ｄ／Ａ変換処理部１２は、加算器１１により
合成された映像データや、オーディオデコーダ１０により復号された音声データをアナロ
グ信号に変換する。また、ビデオ出力端子１３とオーディオ出力端子１４とは、Ｄ／Ａ変
換処理部１２からの映像信号と音声信号とをそれぞれ出力する。
【００２９】
また、この光ディスク再生装置１は、装置全体の制御を行う制御部２０、および装置本
体に対して再生・停止などの指示や各種の設定を行うためのリモコン３０を有している。
制御部２０には、スピンドルモータ３、ＲＦ回路５、データデコーダ６、デマルチプレク
サ７、ビデオデコーダ８、サブピクチャデコーダ９、オーディオデコーダ１０、および加
算器１１が接続され、更に、各種の設定データなどを格納したＲＡＭ２１、装置に各種の
指示を与えるための操作部２２、各種のメッセージを表示する表示部２３、レジューム情
報などのデータを一時的に記憶するバッファ２４、およびリモコン３０から送信された赤
外線信号を受信する赤外線信号受信部２５が接続されている。
【００３０】
ＲＡＭ２１には、主映像圧縮データ、副映像圧縮データ、および各種の音声圧縮データ
に関する識別情報のテーブルが記憶されている。このうち、音声圧縮データに関する識別
情報は、図２に示されるように、ストリームＩＤとサブストリームＩＤの上位５ビットか
ら構成されており、このテーブルの中には、ＬＰＣＭ、ドルビーデジタル、ＭＰＥＧオー
ディオの識別情報に加えて、ＤＴＳの識別情報も格納されている。
【００３１】
制御部２０は、ユーザにより再生が指示されると、ＲＡＭ２１から前記テーブル内の識
別情報を読み込んでデマルチプレクサ７に伝達すると共に、所定の条件に基づいて選択し
た特定の種類の音声圧縮データに関する識別情報をデマルチプレクサ７に伝達する。この
デマルチプレクサ７は、それらの識別情報に基づいてデータデコーダ６からの圧縮データ
を、主映像圧縮データ、副映像圧縮データ、音声圧縮データに振り分けると共に、音声圧
縮データの中から前記特定の種類の識別情報を持つ音声圧縮データを抽出する。そして、
振り分けた主映像圧縮データをビデオデコーダ８に、副映像圧縮データをサブピクチャデ
コーダ９にそれぞれ送信し、また、抽出した音声圧縮データをオーディオデコーダ１０に
送信する。
【００３２】
また、制御部２０には、ＤＶＤ２上におけるＤＴＳ音声のオーディオ番号が他の音声の
オーディオ番号よりも大きいか小さいかを判定するオーディオ番号大小判定手段２０１と
、ＤＴＳ音声のオーディオ番号が他の音声のオーディオ番号よりも大きいことが前記オー
ディオ番号大小判定手段２０１により判定された場合にＤＴＳ音声以外の音声にて再生を
開始させる第１の再生開始手段２０２と、ＤＴＳ音声のオーディオ番号が他の音声のオー
ディオ番号よりも小さいことが前記オーディオ番号大小判定手段２０１により判定された
場合にセットアップのＤＴＳデジタル出力設定がデジタル出力であるビットストリームで
あるかオフであるかを判定する出力設定判定手段２０３と、ＤＴＳデジタル出力設定がデ
ジタル出力としてのビットストリームであることが前記出力設定判定手段２０３により判
定された場合にオーディオ番号１のＤＴＳ音声にて再生を開始させる第２の再生開始手段
２０４と、ＤＴＳデジタル出力設定がオフであることが前記出力設定判定手段２０３によ
り判定された場合にＤＴＳ以外でオーディオ番号２以降の最も若いオーディオ番号の音声
にて再生を開始させる第３の再生開始手段２０５とが備えられている。
【００３３】
図３は、図１中のオーディオデコーダ１０の要部構成を示すブロック図である。このオ
ーディオデコーダ１０は、デマルチプレクサ７（図１参照）からの音声圧縮データに含ま
れる付加データを用いてオーディオデコーダ１０の全体的な動作の制御を行うデコーディ
ング制御部４１、デマルチプレクサ７からの音声圧縮データを一時的に格納する入力バッ
ファ４２、この入力バッファ４２からの音声圧縮データに基づいて音声データを再生する
オーディオデータ中核部４３、およびＤ／Ａ変換処理部１２に出力するデジタル形式の音
声データを一時的に格納する出力バッファ４７から構成されている。
【００３４】
また、オーディオデコーダ中核部４３は、ＬＰＣＭ音声用のデコーダ（ＬＰＣＭデコー
ダ）４４、ドルビーデジタル音声用のデコーダ（ドルビーデジタルデコーダ）４５、およ
びＭＰＥＧオーディオ用のデコーダ（ＭＰＥＧオーディオデコーダ）４６を有しており、
デマルチプレクサ７からの音声圧縮データに含まれるストリームＩＤ（図４中の５６参照
）とサブストリームＩＤ（図４中の５３参照）の上位５ビットを参照して、該当の音声圧
縮データの種類を判別し、判別した圧縮データの種類に応じて使用する音声デコーダを選
択する。そして、選択した音声デコーダを用いて入力バッファ４２から送られた音声圧縮
データの伸張と復号を行う。
【００３５】
次に、前記音声圧縮データにおけるストリームＩＤとサブストリームＩＤについて図４
を参照して説明する。図４は、ＤＶＤ２におけるオーディオパックの記録状態を示す。デ
ータデコーダ６からデマルチプレクサ７に送られる音声圧縮データは、このオーディオパ
ック５０を復号個結合して構成したものであるか、または１個のオーディオパック５０で
構成したものである。このオーディオパック５０は、パックヘッダ５１、パケットヘッダ
５２、サブストリームＩＤ５３、オーディオデータ５４などにより構成される。
【００３６】
バックヘッダ５１内には、パックスタートコード、システム時刻基準参照値などが含ま
れており、また、パケットヘッド５２内には、パケットスタートコード５５、ストリーム
ＩＤ５６などが含まれている。データデコーダ６からデマルチプレクサ７に送られる音声
圧縮データの中には、ストリームＩＤ５６とサブストリームＩＤ５３とが含まれており、
デマルチプレクサ７は、ストリームＩＤ５６とサブストリームＩＤ５３の上位５ビットを
参照して、音声圧縮データの中から特定の種類の音声圧縮データを抽出し、抽出した音声
圧縮データをオーディオデコーダ１０に送信する。
【００３７】
図５は本実施形態においてＤＶＤの音声を選択して再生する処理を説明するためのフロ
ーチャートである。このフローチャートを参照してＤＶＤの音声を選択して再生する処理
について説明する。
【００３８】
先ず、ユーザがＤＶＤ２を光ディスク再生装置１に挿入する（ステップＳ１）。そして
、ユーザがリモコン３０を操作して光ディスク再生装置１を再生モードにすると、ＤＶＤ
２が回転し、制御部２０のオーディオ番号大小判定手段２０１は、ＤＶＤ２のディスク情
報を、光ピックアップ４、ＲＦ回路５、およびデータデコーダ６を介して読み出し、ＤＴ
Ｓオーディオ番号がその他のオーディオ番号よりも大きいか小さいかを判定する（ステッ
プＳ２）。
【００３９】
ＤＴＳ音声のオーディオ番号が他の音声のオーディオ番号よりも大きいことがオーディ
オ番号大小判定手段２０１により判定された場合、第１の再生開始手段２０２は、オーデ
ィオ番号１（ＤＴＳ以外の音声）にてＤＶＤ２の再生を開始させる（ステップＳ６）。Ｄ
ＴＳ音声のオーディオ番号が他の音声のオーディオ番号よりも小さいことが前記オーディ
オ番号大小判定手段２０１により判定された場合、制御部２０の出力設定判定手段２０３
は、セットアップのＤＴＳデジタル出力設定がビットストリーム（デジタル出力）である
かオフであるかを判定する（ステップＳ３）。
【００４０】
ＤＴＳデジタル出力設定がビットストリームであることが出力設定判定手段２０３によ
り判定された場合、制御部２０の第２の再生開始手段２０４は、光ピックアップ４および
データデコーダ６を制御してオーディオ番号１（ＤＴＳ音声）にてＤＶＤ２の再生を開始
させる（ステップＳ４）。ＤＴＳデジタル出力設定がオフであることが出力設定判定手段
２０３により判定された場合、制御部２０の第３の再生開始手段２０５は、光ピックアッ
プ４およびデータデコーダ６を制御して、ＤＴＳ以外でオーディオ番号２以降の最も若い
オーディオ番号の音声にてＤＶＤ２の再生を開始させる（ステップＳ５）。
【００４１】
オーディオ番号２以降のオーディオ番号の一番若い番号の音声が例えばドルビーデジタ
ル音声であれば、ドルビーデジタル音声を再生する。なお、ＤＴＳ音声の前に例えばドル
ビーデジタル音声が入っていれば、そのドルビーデジタル音声はそのままアナログで音を
出せるので、そのまま、ドルビーデジタル音声を再生して出力することになる。
【００４２】
このように、ステップＳ４またはステップＳ５またはステップＳ６においてＤＶＤ２の
再生が開始して、再生が終了すると（ステップＳ７）、本処理は終える。
【００４３】
以上説明したように本実施形態によれば、セットアップのＤＴＳデジタル出力設定がオ
フであれば、デジタル出力もアナログ出力もされないため、自動的に他の音声を選択させ
ることで、無音状態となるのを防ぐことができる。また、セットアップのＤＴＳデジタル
出力設定がビットストリームであれば、ユーザはデジタル出力にてＤＴＳ音声を聴きたい
という意思があるということなので、ＤＴＳ音声の選択の優先度は下げず、ＤＴＳ音声を
そのまま選択することにより、装置から音が出て、装置に不具合が起きたように勘違いす
るようなことはなくなる。
【図面の簡単な説明】
【００４４】
【図１】本発明の一実施形態に係る光ディスク再生装置の構成を示すブロック図である。
【図２】本実施形態に係る光ディスク再生装置のＲＡＭに格納された音声圧縮データに関する識別情報の内容を示すテーブル図である。
【図３】本実施形態に係る光ディスク再生装置のオーディオデコーダの要部構成を示すブロック図である。
【図４】本実施形態に係る光ディスク再生装置の読取対象となるＤＶＤにおけるオーディオパックの記録状態を示す図である。
【図５】本実施形態の光ディスク再生装置においてＤＶＤの音声を選択して再生する処理を説明するためのフローチャートである。
【符号の説明】
【００４５】
１    光ディスク再生装置
２    ＤＶＤ（光ディスク）
４    光ピックアップ
７    デマルチプレクサ
８    ビデオデコーダ（映像再生手段）
１０    オーディオデコーダ（音声再生手段）
２０    制御部
２１    ＲＡＭ（記憶手段）
２３    表示部
４４    ＬＰＣＭ音声用デコーダ（音声デコーダ）
４５    ドルビーデジタル音声用デコーダ（音声デコーダ）
４６    ＭＰＥＧオーディオ用デコーダ（音声デコーダ）
５３    サブストリームＩＤ（音声識別情報）
５６    ストリーム（音声識別情報）
２０１    オーディオ番号大小判定手段
２０２    第１の再生開始手段
２０３    出力設定判定手段
２０４    第２の再生開始手段
２０５    第３の再生開始手段
【図１】
2006196095.tif 000003
【図２】
2006196095.tif 000004
【図３】
2006196095.tif 000005
【図４】
2006196095.tif 000006
【図５】
2006196095.tif 000007